(57)【特許請求の範囲】
【請求項１】
測定対象の特性を表す測定値を検出する測定値検出部（２１）と、
前記測定値検出部の動作条件を指定するコマンド情報を受けて解読し、その解読結果に基づいて前記測定値検出部の動作を制御する測定制御部（２２）と、
端末間で電子メールの伝送が可能なネットワークに接続するための通信インタフェース（２５）と、
前記ネットワーク上のアドレスを設定するためのアドレス設定手段（２６）と、
前記アドレス設定手段に設定されているアドレスを送信元とする電子メールを前記通信インタフェースを介して受信する電子メール受信手段（２７）と、
前記電子メール受信手段が受信した前記端末からの電子メールの文字列情報を抽出する文字列情報抽出手段（２８）と、
前記測定制御部が解読可能な複数のコマンド情報と、該コマンド情報のそれぞれに対応する文字列情報とを予め記憶しているデータベース（２９）と、
前記データベースを参照して、前記文字列情報抽出手段によって抽出された文字列情報をコマンド情報に変換し、前記測定制御部へ入力するデータ変換手段（３０）とを備え、
前記アドレス設定手段に設定されているアドレス毎に前記データベースに対する参照範囲を設定できるようになっており、
前記データ変換手段は、前記データベースから前記電子メールの送信元アドレスに対応する範囲のみを参照してコマンド情報に変換することを特徴とする測定器。
【請求項２】
前記測定制御部は、前記データ変換手段から受けたコマンド情報の解読結果が実行可能か否かを判定する手段を有し、
前記測定制御部からコマンド情報の解読結果に対する判定結果を受け、該判定結果に対応する文字列情報からなる電子メールを、前記通信インタフェースを介して前記送信元アドレスの端末に返送する電子メール返送手段（３１）を備えていることを特徴とする請求項１記載の測定器。
【請求項３】
前記電子メール返送手段は、前記測定制御部が前記コマンド情報を受けて出力する測定結果の数値データを文字列情報に変換し、該変換した文字列情報からなる電子メールを前記送信元アドレスの端末に返送するように構成されていることを特徴とする請求項２記載の測定器。
【請求項４】
前記測定制御部が前記コマンド情報を受けて出力する測定結果の画像情報に基づいて前記送信元アドレスの端末で表示可能な画像情報を生成する画像情報生成手段（３２）を有し、
前記電子メール返送手段は、前記画像情報生成手段が生成した画像情報を前記電子メールに添付して前記送信元アドレスの端末に返送するように構成されていることを特徴とする請求項２または請求項３記載の測定器。
【発明の詳細な説明】
【０００１】
【発明の属する技術分野】
本発明は、携帯電話のように一般的に使用されている端末によって測定器を遠隔制御できるようにするための技術である。
【０００２】
【従来の技術】
測定器の動作を外部からリモート制御する場合、従来では、測定器とパーソナルコンピュータ等の外部装置との間をＧＰＩＢインタフェースを介してケーブル接続し、外部装置で測定器の動作条件を指定するためのコマンド情報を生成して測定器に送り、測定器側ではこのコマンド情報を解読し、その解読結果に基づいて動作の制御を行なっている。
【０００３】
【発明が解決しようとする課題】
しかしながら、上記した有線式のＧＰＩＢインタフェースを用いたリモート制御では、コマンド情報を生成するための機能を有する専用化された外部装置が必要となる。
【０００４】
また、リモート制御できる範囲も規定ケーブル長で制限されてしまい、無人化された施設や環境的に常駐が困難な場所での測定には利用できないという不便さがあった。
【０００５】
本発明は、この問題を解決し、汎用の端末で任意の場所からリモート制御できる測定器を提供することを目的としている。
【０００６】
【課題を解決するための手段】
前記目的を達成するために、本発明の請求項１の測定器は、
測定対象の特性を表す測定値を検出する測定値検出部（２１）と、
前記測定値検出部の動作条件を指定するコマンド情報を受けて解読し、その解読結果に基づいて前記測定値検出部の動作を制御する測定制御部（２２）と、
端末間で電子メールの伝送が可能なネットワークに接続するための通信インタフェース（２５）と、
前記ネットワーク上のアドレスを設定するためのアドレス設定手段（２６）と、
前記アドレス設定手段に設定されているアドレスを送信元とする電子メールを前記通信インタフェースを介して受信する電子メール受信手段（２７）と、
前記電子メール受信手段が受信した前記端末からの電子メールの文字列情報を抽出する文字列情報抽出手段（２８）と、
前記測定制御部が解読可能な複数のコマンド情報と、該コマンド情報のそれぞれに対応する文字列情報とを予め記憶しているデータベース（２９）と、
前記データベースを参照して、前記文字列情報抽出手段によって抽出された文字列情報をコマンド情報に変換し、前記測定制御部へ入力するデータ変換手段（３０）とを備え、
前記アドレス設定手段に設定されているアドレス毎に前記データベースに対する参照範囲を設定できるようになっており、
前記データ変換手段は、前記データベースから前記電子メールの送信元アドレスに対応する範囲のみを参照してコマンド情報に変換することを特徴としている。
【０００７】
また、本発明の請求項２の測定器は、請求項１記載の測定器において、
前記測定制御部は、前記データ変換手段から受けたコマンド情報の解読結果が実行可能か否かを判定する手段を有し、
前記測定制御部からコマンド情報の解読結果に対する判定結果を受け、該判定結果に対応する文字列情報からなる電子メールを、前記通信インタフェースを介して前記送信元アドレスの端末に返送する電子メール返送手段（３１）を備えていることを特徴としている。
【０００８】
また、本発明の請求項３の測定器は、請求項２記載の測定器において、
前記電子メール返送手段は、前記測定制御部が前記コマンド情報を受けて出力する測定結果の数値データを文字列情報に変換し、該変換した文字列情報からなる電子メールを前記送信元アドレスの端末に返送するように構成されていることを特徴としている。
【０００９】
また、本発明の請求項４の測定器は、請求項２または請求項３記載の測定器において、
前記測定制御部が前記コマンド情報を受けて出力する測定結果の画像情報に基づいて前記送信元アドレスの端末で表示可能な画像情報を生成する画像情報生成手段（３２）を有し、
前記電子メール返送手段は、前記画像情報生成手段が生成した画像情報を前記電子メールに添付して前記送信元アドレスの端末に返送するように構成されていることを特徴としている。
【００１０】
【発明の実施の形態】
以下、図面に基づいて本発明の実施の形態を説明する。
図１は、本発明を適用した測定器２０の構成と、この測定器２０をリモート制御するためのシステムを表している。
【００１１】
図１において、測定器２０の測定値検出部２１は、測定対象（図示せず）の特性を表す測定値を検出するためのものであり、例えばこの測定器２０がスペクトラムアナライザであれば、測定対象から出力される信号に対して、指定された周波数範囲を掃引しながら、指定された分析帯域幅で各周波数毎の振幅値を検出する。
【００１２】
この測定値検出部２１の動作は測定制御部２２によって制御される。測定制御部２２は、操作部２３の操作で入力される測定パラメータ等の情報にしたがって測定値検出部２１を制御する第１の制御モード（ローカル制御モード）と、所定形式（例えばＧＰＩＢ形式）で入力されるコマンド情報Ｃを解読し、その解読結果にしたがって測定値検出部２１を制御する第２の制御モード（リモート制御モード）とを有している。
【００１３】
コマンド情報Ｃは、例えばリセット指令のように特定の命令コードだけからなるものと、パラメータ設定指令のように設定対象のパラメータの種類を表すコードにパラメータ値等を表すデータを加えたものとがある。そしてこのパラメータの値には、測定値検出部２１のハードウエア構成によって決まる設定可能範囲が定められており、測定制御部２２はコマンド情報の解読結果による制御が実際に行なえるか否かを判定し、その判定結果を後述する電子メール返送手段３１に出力する。
【００１４】
また、この測定制御部２２は少なくとも第１の制御モードにある間は、測定値検出部２１の測定で得られたデータから信号波形、スペクトラム等の画像情報を生成して表示器２４に表示させる。
【００１５】
一方、この測定器２０には、端末間で電子メールの伝送が可能なネットワークの一つである移動体通信網１０に接続するための通信インタフェース２５が設けられている。
【００１６】
この通信インタフェース２５は、移動体通信網１０の基地局１０ａとの間で電波による通信を行なう無線送受信部２５ａと、データ信号の変調および復調を行なう変復調部２５ｂとを有しており、移動体通信網１０から固有のアドレスＡ（電話番号またはその電話番号に対応して登録されたメールアドレス）が割り当てられている。
【００１７】
通信インタフェース２５は、例えば、測定器２０の筐体（図示せず）に設けられたカードスロット（図示せず）に対して着脱可能なカード型に構成されており、同等のカードスロットを有する他の測定器にも使用できる。
【００１８】
アドレス設定手段２６には、この測定器２０をリモート制御する権限を有する者が所持する端末に割り当てられたアドレスＢ（電話番号またはその電話番号に対応して登録されたメールアドレス）が予め設定されている。なお、このアドレスＢは一つでも複数でもよい。
【００１９】
また、アドレスＢが複数ある場合には、各アドレス毎にリモート制御の範囲を限定することもできる。
【００２０】
電子メール受信手段２７は、アドレス設定手段２６に設定されているアドレスを送信元とする電子メールを通信インタフェース２５を介して受信する。
【００２１】
文字列情報抽出手段２８は、電子メール受信手段２７が受信した電子メールの文字列情報を抽出する。
【００２２】
データベース２９には、測定制御部２２が解読可能な複数のコマンド情報Ｃ１〜Ｃｎと、各コマンド情報Ｃ１〜Ｃｎのそれぞれに対応する文字列情報Ｍ１〜Ｍｎとが予め記憶されている。
【００２３】
例えば、測定値検出部２０を初期状態にするためのリセットコマンドＣｉに対しては「リセット」、「ＲＥＳＥＴ」等の文字列情報が対応付けられて記憶され、パラメータ設定用のコマンド、例えば中心周波数設定用のコマンドＣｊに対しては、そのパラメータの種類を表す「中心周波数」、「センタＦ」等の文字列情報が対応付けられて記憶されている。
【００２４】
データ変換手段３０は、データベース２９の内容を参照し、文字列情報抽出手段２７が抽出した文字列情報をコマンド情報に変換して測定制御部２２へ出力する。
【００２５】
例えば、文字列「リセット」が抽出された場合には、この文字列「リセット」に対応するリセットコードＣｉをコマンド情報として測定制御部２２へ出力し、文字列「中心周波数１．０Ｇ」が抽出された場合には、文字列「中心周波数」をに対応するコードＣｊに、文字列「１．０Ｇ」を例えばＭＨｚ単位で表す数値データ１００００００を加えたＣｊ＋１００００００をコマンド情報Ｃとして測定制御部２２へ出力する。
【００２６】
なお、前記したようにアドレスＢが複数あって各アドレス毎にリモート制御の範囲を設定する場合には、各アドレス毎にデータベース２９の参照範囲を設定しておき、送信元アドレスに対応する範囲を参照してコマンド情報に変換する。
【００２７】
電子メール返送手段３１は、測定制御部２２の解読結果に対する判定結果を受け、コマンド情報の解読結果が正しく実行できることを示しているときには、その解読結果を実行することを通知するための文字列情報からなる電子メールを通信インタフェース２５を介して前記送信元アドレスＢの端末に返送する。
【００２８】
また、コマンド情報の解読結果が正しく実行できないことを示しているときには、その旨を表す文字列情報からなる電子メールを通信インタフェース２５を介して前記送信元アドレスＢの端末に返送する。
【００２９】
次に、この測定器２０の動作を図２のフローチャートに基づいて説明する。
なお、ここで測定器２０の測定制御部２２は操作部２３の操作等によって予め第２の制御モード（リモート制御モード）に設定されているものとし、通信インタフェース２５は待ち受け状態になっているものとする。
【００３０】
始めに、移動体通信網１０に接続可能で自己アドレスＢの携帯電話１１を操作して、例えば図３の（ａ）に示す「中心周波数１．０Ｇ」のような文字列情報Ｍｘをその表示部１１ａの画面上で作成し、これを本文とする電子メールＥｍ（Ｍｘ）を測定器２０のアドレスＡ宛てに送信すると、移動体通信網１０はこの電子メールＥｍ（Ｍｘ）を送信元のアドレスＢとともに測定器２０の通信インタフェース２５へ伝送する。
【００３１】
測定器２０側で待ち受け状態にあった通信インタフェース２５を介して電子メール受信手段２７がこの電子メールＥｍ（Ｍｘ）を受信すると、文字列情報抽出手段２８は、受信された電子メールＥｍ（Ｍｘ）の文字列情報Ｍｘを抽出して、データ変換手段３０に出力する（Ｓ１〜Ｓ３）。なお、送信元アドレスがアドレスＢ以外の電子メールは破棄される。
【００３２】
文字列情報抽出手段２８からの文字列情報Ｍｘを受けたデータ変換手段３０は、データベース２９を参照して、その文字列情報Ｍｘを測定制御部２２が解読可能なコマンド情報に変換できるか否かを判定し、変換可能であればその文字列情報Ｍｘに対応するコマンド情報Ｃｘを求めて測定制御部２２へ出力する（Ｓ４、Ｓ５）。なお、前記したようにアドレス毎にリモート制御の範囲を設定した場合、データベース２９の送信元アドレスＢに対応する範囲を参照してコマンド情報Ｃｘを求める。
【００３３】
このコマンド情報Ｃｘは測定制御部２２によって解読され、その解読結果が実行可能か否かが判定され、実行可能であればその解読結果に基づいて測定値検出部２１の動作が制御される（Ｓ６〜Ｓ８）。
【００３４】
そして、解読結果が実行可能であった場合には、文字列情報抽出手段２８が抽出した文字列情報ＭｘからなるアドレスＢ宛ての電子メールＥｍ（Ｍｘ）′が電子メール返送手段３１から、通信インタフェース２５を介して移動体通信網１０に送出される（Ｓ９）。
【００３５】
この電子メールＥｍ（Ｍｘ）′は、移動体通信網１０を介してアドレスＢの携帯電話１１に伝送され、電子メールＥｍ（Ｍｘ）′の文字列情報Ｍｘが携帯電話１１の表示部１１ａに例えば図３の（ｂ）のように表示される。
【００３６】
アドレスＢの携帯電話１１を操作している者は、携帯電話１１が受信した電子メールの文字列情報Ｍｘと、自分が作成して測定器２０に送信した文字列情報とが同じであることを確認することで、自分が測定器２０に送信した文字列情報Ｍｘに対応するコマンド情報を測定器２０が正しく認識して実行したと判断することができる。
【００３７】
また、携帯電話１１から送信された電子メールＥｍの文字列情報Ｍｘが、コマンド情報に変換できないものであったり、あるいは文字列情報Ｍｘから変換されたコマンド情報の解読結果が実行不可能な場合、電子メール返送手段３１が、その文字列情報Ｍｘに対応するコマンドが実行できないことを示す文字列情報、例えば「Ｍｘは無効です」等の文字列情報Ｍｅを生成し、この文字列情報ＭｅからなるアドレスＢ宛ての電子メールＥｍ（Ｍｅ）′を移動体通信網１０へ出力し、携帯電話１１に返送する（Ｓ１０）。
【００３８】
この電子メールＥｍ（Ｍｅ）′を受信した携帯電話１１を操作してその内容を表示させると、その表示部１１ａには、例えば図４のように「中心周波数１．０Ｇは無効です」の文字列情報Ｍｅが表示され、この携帯電話１１の操作者は、自分が送信した電子メールＥｍ（Ｍｘ）の文字列情報Ｍｘに誤りがあることを確認することができる。
【００３９】
このように実施形態の測定器２０は、携帯電話１１から移動体通信網１０を介して入力された電子メールの文字列情報をコマンド情報に変換し、このコマンド情報にしたがって動作制御されるように構成されている。
【００４０】
このため、電子メールの送受信が行なえる汎用の端末である携帯電話１１から、移動体通信網１０のサービスエリア内のいずれの場所からでも容易にそのサービスエリア内の測定器２０の制御が任意のタイミングで行なえる。
【００４１】
なお、前記した測定器２０の通信インタフェース２５は、ネットワークとしての移動体通信網１０に接続可能に構成されていたが、この移動体通信網１０は、一つの企業が提供する通信網だけでなく、インタネットを介在させて接続された複数の移動体通信網を含む場合もあり、また、有線の電話回線を経由してインタネットに接続するインタフェースであってもよい。
【００４２】
また、前記した測定器２０では、電子メールを送ってきた携帯電話１１に対して、その電子メールの文字列情報を正しくコマンド情報に変換できるか否か、および変換したコマンド情報の解読結果が実行可能か否かを表す文字列情報からなる電子メールを返送していたが、コマンド情報には測定によって得られた数値データをリモート制御元に通知させる種類のものがあり、この種のコマンド情報に対応する文字列情報をデータベース２９に予め設定しておけば、測定によって得られたデータを携帯電話１１で確認することができる。
【００４３】
例えば測定器２０がスペクトラムアナライザの場合、最大スペクトラムの周波数やそのレベルを通知させるためのコマンド情報に対して文字列情報「ピーク周波数通知」や「ピークレベル通知」等の文字列情報を予めデータベース２９に設定しておく。そして、この文字列情報が含まれる電子メールを受信したときに、測定制御部２２は、その文字列情報を変換したコマンド情報の解読結果が実行可能か否かの判定結果を電子メール返送手段３１へ送出し、実行可能であれば、その実行によって得られた最大スペクトラムの周波数のデータやピークレベルのデータを電子メール返送手段３１へ送出する。
【００４４】
測定制御部２２から実行可能を示す判定結果と周波数データやレベルデータを受けた電子メール返送手段３１は、前記同様に受信した電子メールの文字列情報と同一の文字列情報（例えば「ピーク周波数通知」、「ピークレベル通知」）おと周波数データやレベルデータを数字で表す文字列情報とからなる電子メールを返送して、測定によって得られたデータを携帯電話１１に通知する。
【００４５】
また、文字列情報だけでなく、信号波形やスペクトラム波形の画像情報を電子メールに添付して携帯電話１１へ送信することもできる。
【００４６】
図５は、画像情報の添付が可能な測定器２０′を示している。この測定器２０′では、携帯電話１１から画像情報の通知命令を表す文字列情報からなる電子メールを受けたとき、測定制御部２２が表示器２４のために生成した画像情報を画像情報生成手段３２へ出力する。
【００４７】
画像情報生成手段３２は、測定制御部２２からの画像情報に基づいて携帯電話１１で表示可能な画像情報Ｇを生成して、電子メール返送手段３１′に出力する。電子メール返送手段３１′は、前記した電子メールに画像情報Ｇを添付して携帯電話１１へ返送する。
【００４８】
この電子メールを受けた携帯電話１１では、測定器２０′からの電子メールを確認して添付ファイルを開くことで、測定器２０′の表示器２４の表示内容とほぼ同様の画像が例えば図６の（ａ）、（ｂ）のように表示されることになり、この画像から信号波形やスペクトラム波形を確認することができる。
【００４９】
【発明の効果】
以上説明したように、本発明の測定器は、端末からネットワークを介して入力された電子メールの文字列情報をコマンド情報に変換し、このコマンド情報にしたがって動作制御されるように構成され、且つ、アドレス設定手段に設定されているアドレス毎にデータベースに対する参照範囲を設定できるようになっており、データ変換手段は、データベースから電子メールの送信元アドレスに対応する範囲のみを参照してコマンド情報に変換している。
【００５０】
このため、電子メールの送受信が行なえるネットワークに接続可能な汎用の端末、即ち、携帯電話、ＰＨＳ、ＰＤＡ（携帯型情報端末）、パーソナルコンピュータから、ネットワークのサービスエリア内のいずれの場所からでも容易に制御が行なえる。
【００５１】
また、測定制御部によるコマンド情報の解読結果に対する判定結果に対応する文字列情報からなる電子メールを、通信インタフェースを介して送信元アドレスの端末に返送する電子メール返送手段を備えた測定器では、端末から送信した電子メールの文字列情報による制御が正しく行なえるか否かを知ることができ、確実なリモート制御が行なえる。
【００５２】
また、測定制御部がコマンド情報を受けて出力する測定結果の数値データを文字列情報に変換し、その文字列情報からなる電子メールを送信元アドレスの端末に返送するように構成された測定器では、端末の表示部で測定結果の数値データを確認することができる。
【００５３】
また、測定制御部がコマンド情報を受けて出力する測定結果の画像情報に基づいて送信元アドレスの端末で表示可能な画像情報を生成し、その画像情報を電子メールに添付して送信元アドレスの端末に返送するように構成された測定器では、端末の表示部で信号波形やスペクトラム等の波形情報を確認することができる。
【図面の簡単な説明】
【図１】本発明の実施形態の構成と全体システムを示す図
【図２】実施形態の処理手順を示すフローチャート
【図３】実施形態の測定器をリモート制御する携帯電話の表示例を示す図
【図４】実施形態の測定器をリモート制御する携帯電話の表示例を示す図
【図５】画像情報が添付された電子メールを送信する機能を有する実施形態の測定器の構成を示す図
【図６】実施形態の測定器をリモート制御する携帯電話の表示例を示す図
【符号の説明】
１０……移動体通信網、１０ａ……基地局、１１……携帯電話、１１ａ……表示部、２０、２０′………測定器、２１……測定値検出部、２２……測定制御部、２３……操作部、２４……表示器、２５……通信インタフェース、２６……電子メール受信手段、２７……アドレス設定手段、２８……文字列情報抽出手段、２９……データベース、３０……データ変換手段、３１……電子メール返送手段、３２……画像情報生成手段
【図１】
0003779198.tif 000002
【図２】
0003779198.tif 000003
【図３】
0003779198.tif 000004
【図４】
0003779198.tif 000005
【図５】
0003779198.tif 000006
【図６】
0003779198.tif 000007